(57)【要約】      （修正有）【課題】雨水の流入を防止するゴミ回収箱を提供する。【解決手段】上部を開口した鋼製の箱本体２と、箱体の一側面上部の両端に取り付けられた一対の筒状体と、筒状体に着脱自在に装着される一対の柱部材３と、柱部材に取り付けられた屋根部材６とから構成されるゴミ回収箱１であって、筒状体は上部に側面視で楔条に切り欠きを有し、また柱部材は筒状体に嵌入する垂直柱部と、垂直柱部に連設し箱本体の外周から外に傾斜する延長柱部と、延長柱部の端部に取り付けられた屋根保持部材とからなり、屋根部材は屋根保持部材によって保持された防水性のテント部材４からなる。【選択図】図１
0003141718.tif 000002
【実用新案登録請求の範囲】
【請求項１】
上部を開口した鋼製の箱本体と、該箱本体の一側面上部の両端に取り付けられた一対の筒状体と、該筒状体に着脱自在に装着される一対の柱部材と、該柱部材に取り付けられた屋根部材とから構成されるゴミ回収箱であって、前記筒状体は上部に側面視楔条に切り欠きを有し、また前記柱部材は前記筒状体に嵌入する垂直柱部と、該垂直柱部に連設し前記箱本体の外縁から外に傾斜する延長柱部と、該延長柱部の端部に取り付けられた屋根保持部材とからなり、前記屋根部材は前記屋根保持部材によって保持された防水性のテント部材からなり、該テント部材表面に溜まった雨水などを箱体の外に排出させることを特徴とするゴミ回収箱。
【考案の詳細な説明】
【技術分野】
【０００１】
本考案はゴミ回収箱に関するものである。
【背景技術】
【０００２】
従来より、建設廃材などの産業廃棄物を一時的に収納して、定期的に廃棄物処理場に運搬するためのコンテナボックスが広く利用されている。このコンテナボックスは、直方体型の金属製箱体からなるものが多く、利用される場所に応じて容量の異なるものが選択される。
【０００３】
しかしながら、従来のコンテナボックスは、建設廃材などが排出される現場の近くに置かれ、そのほとんどが野ざらしのまま放置されており、雨水などの流入に関しては何らの対処もなされないものであった。
【０００４】
そこで、上部に屋根付きフタをつけて、屋根付きフタの側部に横樋または溝を付けたゴミ集積ボックスが提案されている（特許文献１参照。）。また、蓋部と容器部とが締結手段によりしっかりと締結される廃棄物用コンテナもある（特許文献２参照。）。
【０００５】
【特許文献１】実登３０７５５１１号公報
【特許文献２】特開２００３−３１２７７４号公報
【考案の開示】
【考案が解決しようとする課題】
【０００６】
しかし、上記の特許文献１に記載されているゴミ集積ボックスは、屋根付きフタを有し横樋または溝と縦樋によって雨水を排水する構造であり、ボックス内への雨水の流入を防止するが、ゴミの収納時には必ずフタを開け閉めする必要があった。また、特許文献２に記載されている廃棄物用コンテは収納した廃棄物を移動させる際に、廃棄物の飛散を確実に防止するものであり、廃棄物を収容する時点での雨水の流入に関しては何ら対応できるものではなかった。しかも蓋部と容器部との締結作業には手間が掛かるという問題点があった。
【０００７】
本考案は、上記問題点に鑑みなされたものであり、廃棄物の投入時にフタの開け閉め作業を必要とせず、また廃棄物の搬送作業時に手間をかけず、しかも雨水の流入を軽減できるゴミ回収箱を提供するものである。
【課題を解決するための手段】
【０００８】
このため本考案のゴミ回収箱は、上部を開口した鋼製の箱本体と、該箱本体の一側面上部の両端に取り付けられた一対の筒状体と、該筒状体に着脱自在に装着される一対の柱部材と、該柱部材に取り付けられた屋根部材とから構成されるゴミ回収箱であって、前記筒状体は上部に側面視楔条に切り欠きを有し、また前記柱部材は前記筒状体に嵌入する垂直柱部と、該垂直柱部に連設し前記箱本体の外縁から外に傾斜する延長柱部と、該延長柱部の端部に取り付けられた屋根保持部材とからなり、前記屋根部材は前記屋根保持部材によって保持された防水性のテント部材からなり、該テント部材表面に溜まった雨水などを箱本体の外に排出させることを第１の特徴とする。
【考案の効果】
【０００９】
本考案のゴミ回収箱は、以上のように構成されているので次のような優れた効果を有する。
（１）箱本体の一側面上部の両端に取り付けられた一対の筒状体と、該筒状体に着脱自在に装着される一対の柱部材と、該柱部材に取り付けられた屋根部材とから構成されているため、廃棄物の投入時にフタの開け閉め操作を必要とせず、しかもこの屋根部材は柱部材と一体に取りはずし自在であるという効果がある。
（２）また前記柱部材は前記筒状体に嵌入する垂直柱部と、該垂直柱部に連設し前記箱本体の外周から外に傾斜する延長柱部と、該延長柱部の端部に取り付けられた屋根保持部材とからなり、前記屋根部材は前記屋根保持部材によって保持された防水性のテント部材からなり、該テント部材表面に溜まった雨水などを箱本体の外に排出させるという効果がある。
【考案を実施するための最良の形態】
【００１０】
以下、本考案の実施の形態を、図面に示す実施例に基づいて説明するが、本考案が本実施例に限定されないことは言うまでもない。図１は、本考案に係るゴミ回収箱の一実施例を示す斜視図、図２は図１の正面図及び側面図、図３は図１の要部拡大説明図である。
【実施例】
【００１１】
図１に示すように、本考案のゴミ回収箱１は、鋼製で直方体形状の箱本体２と、箱本体２に装着自在な鋼製の柱部材３と、ビニール製テント４を張設しロープ５によって固定された屋根部材６とから構成され、箱本体２はその上部に開口部７を有しており、この開口部７から廃棄物を投入可能とされている。また箱本体２の上部四隅には鋼製の吊り輪８が固着され、クレーン等によって箱本体２を吊り下げて移動可能とされる。
【００１２】
図２ａ及び図２ｂは、それぞれ図１の正面図と側面図であり、箱本体２の上部両端部には一対の四角柱形状の筒状体９が溶接によって取り付けられている。また、柱部材３は筒状体９に嵌入可能な垂直柱部１０と、垂直柱部１０と連設して箱本体２の外縁から斜め上方に延出する延長柱部１１と、延長柱部１１の端部に取り付けられた屋根保持部材１２とから構成されており、柱部材３はそれぞれ鋼製の筒状体からなり溶接などによって連結されて形成されている。尚、屋根保持部材１２は筒状体９が取り付けられた箱本体２の側板側から対向する側板側方向へ上方へ傾斜して取り付られると共に、その長さは下部投影線が箱本体２の外枠より大となる長さとされており、テント４を張設した際に箱本体２の開口部７を覆おうと共に、テント４に溜まった雨水などを箱本体２の外部に排出する。
【００１３】
図３は筒状体９に垂直柱部１０を取り付けた状態を示す要部拡大説明図であり、筒状体９は側面視楔状に切り込まれた上部開口部を有し、箱本体２と同様に鋼製であり、上記した柱部材３の垂直柱部１０を挿入自在とすると共に、垂直柱部１０に設けた挿通孔（図示せず）に固定用のボルト１３ａ及びナット１３ｂを挿通して固定し、風雨による屋根部材６の飛散を防止する。
【００１４】
上記の構成からなる本考案のゴミ回収箱１に廃棄物を投入する際には、箱本体２の上部四方から投入することができる。しかも、屋根部材によって雨水の流入を抑えることができるため、廃棄物の保管がし易い。また、柱部材と屋根部材は一体に構成されており、廃棄物の移動の際に屋根部材の取り外し及び取り付け作業が容易である。
【００１５】
以上、本考案によるゴミ回収箱によれば、廃棄物の投入時にはフタの開け閉め作業を必要とせず、また廃棄物の搬送作業時に手間をかけず、しかも雨水の流入を軽減できる
【図面の簡単な説明】
【００１６】
【図１】本考案に係るゴミ回収箱の一実施例を示す斜視図である。
【図２】図１の正面図及び側面図である。
【図３】図１の要部拡大説明図である。
【符号の説明】
【００１７】
１          ゴミ回収箱
２          箱本体
３          柱部材
４          テント
５          ロープ
６          屋根部材
７          開口部
８          吊り輪
９          筒状体
１０          垂直柱部
１１          延長柱部
１２          屋根保持部材
１３ａ        ボルト
１３ｂ        ナット
【図１】
0003141718.tif 000003
【図２】
0003141718.tif 000004
【図３】
0003141718.tif 000005